(57)【特許請求の範囲】
【請求項１】
左右方向の倒れを防止する前部脚と、該前部脚が前側に取り付けられたメインフレームと、該メインフレームに対して後方に伸縮可能に構成された後部脚と、前記メインフレームに着脱自在に取り付けられ釣竿を載置可能に構成されると共に該釣竿の仰角を段階的に粗調整可能かつ連続的に微調整可能に構成された傾斜台とを備えたことを特徴とする釣竿支持装置。
【請求項２】
左右方向の倒れを防止する前部脚と、必要時に該前部脚よりも左右に長く突出させることが可能に構成され両側の端部に上下方向の接地高さを夫々調節可能にする接地機構が取り付けられた補助脚と、該補助脚及び前記前部脚が前側に取り付けられたメインフレームと、該メインフレームに対して後方に伸縮可能に構成された後部脚と、前記メインフレームに着脱自在に取り付けられ釣竿を載置可能に構成されると共に該釣竿の仰角を段階的に粗調整可能かつ連続的に微調整可能に構成された傾斜台とを備えたことを特徴とする釣竿支持装置。
【請求項３】
左右方向の倒れを防止する前部脚と、必要時に該前部脚よりも左右に長く突出させることが可能に構成され両側の端部に上下方向の接地高さを夫々調節可能にする接地機構が取り付けられた補助脚と、該補助脚及び前記前部脚が前側に取り付けられたメインフレームと、該メインフレームに対して後方に伸縮可能に構成された後部脚と、前記メインフレームに対して着脱自在に取り付けられる基台に蝶番を介して釣竿を載置するアームを取り付け該アームに対して揺動自在に取り付けた支持リンクで前記アームの仰角を変化させるように構成し該支持リンクの下端の前後方向の位置を段階的に粗調整可能かつ連続的に微調整可能に構成した傾斜台とを備えたことを特徴とする釣竿支持装置。
【請求項４】
左右方向の倒れを防止する前部脚と、必要時に該前部脚よりも左右に長く突出させることが可能に構成され両側の端部に上下方向の接地高さを夫々調節可能にする接地機構が取り付けられた補助脚と、該補助脚及び前記前部脚が前側に取り付けられたメインフレームと、該メインフレームに対して後方に伸縮可能に構成された後部脚と、前記メインフレームに対して着脱自在に取り付けられる基台に蝶番を介して長さ調整及び釣竿の載置が可能なアームを取り付け該アームに対して揺動自在に取り付けた支持リンクの角度により前記アームの仰角を変化させるように構成し前記メインフレームと平行にねじ軸を固定し該ねじ軸にナットを螺合させておき前記支持リンクが係合する複数のノッチが所定の間隔で形成されたノッチ部材を前記ねじ軸に沿って直進往復動可能に取り付け前記ナットの螺合位置により前記ノッチ部材の位置が定まるようにすることで前記アームの仰角を段階的に粗調整可能かつ連続的に微調整可能に構成すると共に前記釣竿の抜けを防止する固定機構を取り付けた傾斜台とを備えたことを特徴とする釣竿支持装置。
【発明の詳細な説明】
【０００１】
【発明の属する技術分野】
本発明は、魚釣りの際に釣竿を傾斜状態等で載置可能にする釣竿支持装置に係り、特に、川、湖、磯、岸壁、砂浜等のあらゆる釣り場で安定した状態でしかも容易に設置して釣竿を支持することができ、釣竿の仰角を段階的に選択して粗調整できると共に、夫々の段階的な仰角の中間となる微妙な仰角の連続的な微調整を可能にし、魚がよく釣れると共に極めて便利で使い勝手に優れた釣り人待望の釣竿支持装置に関する。
【０００２】
【従来の技術】
釣竿支持装置は、川、湖、磯、岸壁、砂浜等の釣り場において、仕掛けを水中に投じた後にその釣竿を立て掛け、又は固定しておくためのものであり、ターゲットとなる魚の種類や釣り場の状態によって、釣竿の穂先が高くなるようにある程度の仰角を持たせることができるようにしたものや、ヘラブナ釣り向けに釣竿をほとんど横倒しにして載置できるようにしたもの等があった。
【０００３】
形状としては、後端部が鋭利に形成された軸の先端にＵ字形の竿受を取り付け、地面に突き立てて用いるようにしたものや、三脚の上にＵ字形の竿受けを取り付け、三脚を釣り場に設置して用いるようにしたもの等があった。
【０００４】
しかし地面に突き立てる形式の釣竿支持装置は、石の多い河原では突き立てることが困難であり、コンクリートで固められている波止場のような釣り場では使用不可能である。また地面に突き立てることができたとしても、釣竿の仰角を調整する場合には、例えば近くの石を拾って来て、傾いた釣竿支持装置に押し当てながら行わなければならず、釣竿の穂先をｃｍ単位で微調整することは事実上不可能であった。
【０００５】
また三脚式の釣竿支持装置は、地面の起伏が激しい釣り場での使用は難しく、また砂浜のように三脚が沈み込み易い釣り場での使用にも不向きであった。
【０００６】
なお、釣り場に設置した後に、釣竿の仰角をある程度の間隔で段階的に粗調整できるようにした釣竿支持装置が一般に提供されているが、段階的な粗調整のみでは、一般に数メートル以上の長さを持つ釣竿の穂先の位置が、釣竿の長さに比例して大きく変化してしまうため、夫々の段階の中間となる仰角に設定する場合には、釣竿支持装置の下に何かを敷く等して角度の微調整を行わなければならず、作業が非常に面倒で、不便であった。
【０００７】
【発明が解決しようとする課題】
本発明は、上記した従来技術の欠点を除くためになされたものであって、その目的とするところは、左右方向の倒れを防止する前部脚と、該前部脚が前側に取り付けられたメインフレームと、該メインフレームに対して後方に伸縮可能に構成された後部脚と、メインフレームに着脱自在に取り付けられ釣竿を載置可能に構成されると共に該釣竿の仰角を段階的に粗調整可能かつ連続的に微調整可能に構成された傾斜台とを備えることによって、川、湖、磯、岸壁等の種々の釣り場で安定した状態でしかも容易に設置して釣竿を支持することができるようにすると共に、釣竿の仰角を段階的に選択して粗調整することができるようにし、更に夫々の段階的な仰角の中間となる微妙な仰角の連続的な微調整を可能にすることである。
【０００８】
また他の目的は、上記構成に加えて、必要時に該前部脚よりも左右に長く突出させることが可能に構成され両側の端部に上下方向の接地高さを夫々調節可能にする接地機構が取り付けられた補助脚を備えることによって、沈み込み易い砂浜のような釣り場でも、沈むことなく設置できるようにすると共に、凹凸のある釣り場でも接地機構の調整により水平に設置できるようにすることである。
【０００９】
更に他の目的は、上記構成において、メインフレームに対して着脱自在に取り付けられる基台に蝶番を介して釣竿を載置するアームを取り付け、該アームに対して揺動自在に取り付けた支持リンクでアームの仰角を変化させるように構成し、該支持リンクの下端の前後方向の位置を段階的に粗調整可能かつ連続的に微調整可能に構成することによって、ターゲットとなる魚の種類や釣り場の環境に応じて釣竿の仰角を任意にかつ容易に調整できるようにして、使い勝手を飛躍的に高め、また魚が非常によく釣れるようにすることである。
【００１０】
また他の目的は、上記構成に加えて、メインフレームに対して後方に伸縮可能に構成された後部脚を備えることによって、手荷物等を重りにしてこれを該後部脚に載せるだけで、掛かった魚の引きによる倒れを防止できるようにすることである。
【００１１】
更に他の目的は、上記構成において、メインフレームに対して着脱自在に取り付けられる基台に蝶番を介して長さ調整及び釣竿の載置が可能なアームを取り付け、該アームに対して揺動自在に取り付けた支持リンクの角度によりアームの仰角を変化させるように構成し、メインフレームと平行にねじ軸を固定し該ねじ軸にナットを螺合させておき、支持リンクが係合する複数のノッチが所定の間隔で形成されたノッチ部材をねじ軸に沿って直進往復動可能に取り付け、ナットの螺合位置によりノッチ部材の位置が定まるようにすることでアームの仰角を段階的に粗調整可能かつ連続的に微調整可能に構成した傾斜台を備えることによって、釣竿の仰角をノッチの掛替えにより段階的に粗調整できるようにすると共に、ノッチとその次のノッチとの間に所望の仰角が存在する場合に、ナットを回転させるだけでこれらの間の仰角を連続的に微調整できるようにすることであり、またこれによって釣竿の仰角の調整を極めて迅速にかつ正確に行うことができるようにすることである。
【００１２】
また他の目的は、上記傾斜台に釣竿の抜けを防止する固定機構を取り付けることによって、ヘラブナ釣りのように釣竿を水平に近い状態にしておく場合や、釣竿の穂先を下向きにしておく場合に、掛かった魚の引きによって釣竿が水中に引き込まることを防止することである。
【００１３】
【課題を解決するための手段】
要するに本発明（請求項１）は、左右方向の倒れを防止する前部脚と、該前部脚が前側に取り付けられたメインフレームと、該メインフレームに対して後方に伸縮可能に構成された後部脚と、前記メインフレームに着脱自在に取り付けられ釣竿を載置可能に構成されると共に該釣竿の仰角を段階的に粗調整可能かつ連続的に微調整可能に構成された傾斜台とを備えたことを特徴とするものである。
【００１４】
また本発明（請求項２）は、左右方向の倒れを防止する前部脚と、必要時に該前部脚よりも左右に長く突出させることが可能に構成され両側の端部に上下方向の接地高さを夫々調節可能にする接地機構が取り付けられた補助脚と、該補助脚及び前記前部脚が前側に取り付けられたメインフレームと、該メインフレームに対して後方に伸縮可能に構成された後部脚と、前記メインフレームに着脱自在に取り付けられ釣竿を載置可能に構成されると共に該釣竿の仰角を段階的に粗調整可能かつ連続的に微調整可能に構成された傾斜台とを備えたことを特徴とするものである。
【００１５】
また本発明（請求項３）は、左右方向の倒れを防止する前部脚と、必要時に該前部脚よりも左右に長く突出させることが可能に構成され両側の端部に上下方向の接地高さを夫々調節可能にする接地機構が取り付けられた補助脚と、該補助脚及び前記前部脚が前側に取り付けられたメインフレームと、該メインフレームに対して後方に伸縮可能に構成された後部脚と、前記メインフレームに対して着脱自在に取り付けられる基台に蝶番を介して釣竿を載置するアームを取り付け該アームに対して揺動自在に取り付けた支持リンクで前記アームの仰角を変化させるように構成し該支持リンクの下端の前後方向の位置を段階的に粗調整可能かつ連続的に微調整可能に構成した傾斜台とを備えたことを特徴とするものである。
【００１６】
また本発明（請求項４）は、左右方向の倒れを防止する前部脚と、必要時に該前部脚よりも左右に長く突出させることが可能に構成され両側の端部に上下方向の接地高さを夫々調節可能にする接地機構が取り付けられた補助脚と、該補助脚及び前記前部脚が前側に取り付けられたメインフレームと、該メインフレームに対して後方に伸縮可能に構成された後部脚と、前記メインフレームに対して着脱自在に取り付けられる基台に蝶番を介して長さ調整及び釣竿の載置が可能なアームを取り付け該アームに対して揺動自在に取り付けた支持リンクの角度により前記アームの仰角を変化させるように構成し前記メインフレームと平行にねじ軸を固定し該ねじ軸にナットを螺合させておき前記支持リンクが係合する複数のノッチが所定の間隔で形成されたノッチ部材を前記ねじ軸に沿って直進往復動可能に取り付け前記ナットの螺合位置により前記ノッチ部材の位置が定まるようにすることで前記アームの仰角を段階的に粗調整可能かつ連続的に微調整可能に構成すると共に前記釣竿の抜けを防止する固定機構を取り付けた傾斜台とを備えたことを特徴とするものである。
【００１７】
【発明の実施の形態】
以下本発明を図面に示す実施例に基いて説明する。本発明の第１実施例に係る釣竿支持装置１は、図１及び図２において、前部脚２と、補助脚３と、メインフレーム４と、後部脚５と、傾斜台６とを備えている。
【００１８】
前部脚２は、左右方向の倒れを防止するための例えば比較的短い棒状部材であって、メインフレーム４の前端に、かつ該メインフレーム４の長手方向と直角に、即ち左右方向に突き出すように取り付けられている。
【００１９】
補助脚３は、必要時に前部脚２よりも左右に長く突出させることが可能に構成され、両側の端部に上下方向の接地高さを夫々調節可能にする接地機構８が取り付けられたものであって、メインフレーム４上の前部脚２の後側に取り付けられ、図５に示すように、メインフレーム４に接近した収納状態から前部脚２と平行となる使用状態まで開閉自在となるように、支持板９に左右１個ずつ枢着されている。
【００２０】
接地機構８は、左右の補助脚３の端部に固着され雌ねじ（図示せず）が形成された筒状体１０に例えば蝶ボルト１１を通し、該蝶ボルト１１の下端に接地部材１２を取り付けたものであって、蝶ボルト１１を回転させることにより接地部材１２を上下動させることができるようになっている。
【００２１】
メインフレーム４は、補助脚３及び前部脚２が前側に取り付けられたものであって、前後方向に長く形成された、例えば角パイプにより構成され、傾斜台６を取り付けるための取付け座１３が固着されている。
【００２２】
後部脚５は、メインフレーム４に対して後方に伸縮可能に構成された、縦部材５ａと横部材５ｂとをＴ字形に形成したものであって、縦部材５ａがメインフレーム４内を摺動することで伸縮が可能となっており、横部材５ｂは前部脚２と平行となっている。
【００２３】
後部脚５は、使用時に伸ばすことでメインフレーム４の長さを補うことができ、非使用時には縮めることでコンパクトにまとめることができるようになっている。なお、伸ばした後部脚５は、メインフレーム４に取り付けられた蝶ボルト１４により固定できるようになっている。
【００２４】
傾斜台６は、図３及び図８から図１１に示すように、メインフレーム４に対して着脱自在に取り付けられた基台１５に、蝶番１６を介して長さ調整及び釣竿１８の載置が可能なアーム１９を取り付け、該アーム１９に対して揺動自在に取り付けた支持リンク２０の角度によりアーム１９の仰角を変化させるように構成し、メインフレーム４と平行にねじ軸２１を固定し該ねじ軸２１にナット２２を螺合させておき、支持リンク２０が係合する複数のノッチ２３ａが所定の間隔で形成されたノッチ部材２３をねじ軸２１に沿って直進往復動可能に取り付け、ナット２２の螺合位置によりノッチ部材２３の位置が定まるようにすることでアーム１９の仰角を段階的に粗調整可能かつ連続的に微調整可能に構成されている。
【００２５】
基台１５の下面には、取付け座１３に係合する平板２４が取り付けられており、基台１５の後端には、上下方向に貫通して螺合する蝶ボルト２５が取り付けられている。
【００２６】
アーム１９は、例えば角パイプで構成されており、蝶番１６に固着された固定アーム２６と、該固定アーム２６内を摺動させることが可能な伸縮アーム２８とで構成されている。
【００２７】
伸縮アーム２８の先端には、例えばＵ字形の竿受け２９が取り付けられ、伸縮アーム２８は固定アーム２６に貫通して螺合する蝶ボルト３０により固定されるようになっている。
【００２８】
固定アーム２６の後端側には、釣竿１８の後端部１８ａを支持する竿受け具３１が取り付けられている。竿受け具３１は、例えばＬ字形の部材３２に、一端のみが固定アーム２６上の板材３３に固定され他端３４ａは板材３３に固定されないＵ字形の湾曲部材３４を固着し、該湾曲部材３４と部材３２にかけて枠部材３５を固着してかご形に形成したものである。
【００２９】
湾曲部材３４には、釣竿１８の動きを弾性的に支持する、例えばゴム帯３６が掛けられている。また枠部材３５には、リング３８を介してゴム帯３９が取り付けられており、該ゴム帯３９は枠部材３５に形成された突起３５ａに掛けることで釣竿１８の後端部１８ａを締め付けることができるようになっている。
【００３０】
固定アーム２６の後端には、該固定アーム２６の仰角の上限を定めるストッパ２６ａが取り付けられている。
【００３１】
支持リンク２０は、固定リンク２６を挾むように取り付けられた一対のリンク板２０ａと、該リンク板２０ａの下端に取り付けられたピン２０ｂとから構成され、該ピン２０ｂがノッチ部材２３のノッチ２３ａと係合するようになっている。
【００３２】
ノッチ部材２３は、ねじ軸２１の方向に、各ノッチ２３ａ間の距離以上のストロークで直進往復動可能に取り付けられており、ナット２２によりノッチ部材２３を移動させることで、アーム１９の仰角を各ノッチ２３ａ間に存在する仰角に微調整できるようになっている。
【００３３】
次に、本発明の第２実施例に係る釣竿支持装置４２は、図１３及び図１４に示すように、第１実施例に係る釣竿支持装置１のうち竿受け具３１に釣竿５５の抜けを防止する固定機構４３を取り付けたものである。
【００３４】
固定機構４３は、枠部材３５に蝶番４４を介して、円弧形の押え具４５を取り付け、該押え具４５に一対の引張りばね４６を介して係止部材４８を取り付けたものであり、枠部材３５に形成された係合突起３５ｂに係止部材４８を掛けることで釣竿５５の後端部５５ａを弾性的に固定できるようになっている。
【００３５】
本発明は、上記のように構成されており、以下その作用について説明する。まず本発明の第１実施例に係る釣竿支持装置１の作用について説明すると、図４及び図６に示すように、傾斜台６のアーム１９は、蝶ボルト３０を弛めて伸縮アーム２８を矢印Ａ方向又は矢印Ｂ方向に出し入れすることにより、任意の長さに調整することが可能であり、また支持リンク２０を異なるノッチ２３ａに掛け替えることにより、矢印Ｅ方向又は矢印Ｆ方向に仰角を粗調整、即ち段階的に変化させることが可能である。
【００３６】
補助脚３は、主に砂浜のような釣竿支持装置１の沈込みがある釣り場（図示せず）や、図９及び図１０に示すような、磯のように凹凸が激しく釣竿支持装置１の設置が容易でない釣り場５０において用いるものであり、必要時には、図５に示すように、容易に開くことが可能である。補助脚３を使用する必要のない場合や運搬時等は、メインフレーム４に平行となるように折り畳んでおくことができる。
【００３７】
補助脚３に取り付けられている接地機構８の蝶ボルト１１を回転させると、接地部材１２を上下に移動させることができ、凹凸のある釣り場５０であっても、釣竿支持装置１を水平に近い状態に設置することが可能である。
【００３８】
図６に示すように、後部脚５は、蝶ボルト１４を弛めて矢印Ｃ方向に引き出すことにより、任意の長さにメインフレーム４の長さを延長することができ、また矢印Ｄ方向に縮めることにより、収納状態とすることができる。後部脚５には、図９に示すように、重りとして手荷物５１等を載せるので、なるべく長く引き出した方が魚の引きに対して強くなる。
【００３９】
例えばリール５２から釣糸５３を導き出すようにした釣竿１８の後端部１８ａを竿受け具３１に差し込み、アーム１９の上に載置すると、図７に示すように、伸縮アーム２８の竿受け２９によって釣竿１８の途中が支持される。釣竿１８の仰角を希望する仰角にするためには、まず各ノッチ２３ａに支持リンク２０を掛け替えながら釣竿１８の仰角が希望の角度に近くなるように、ノッチ２３ａを選択して粗調整する。
【００４０】
ここで手５４によりナット２２を矢印Ｇ方向又は矢印Ｈ方向に回転させねじ軸２１方向に移動させると、釣竿１８、アーム１９及び支持リンク２０等の重量によりナット２２に押し付けられているノッチ部材２３が、該ナット２２の移動に伴って矢印Ｉ方向又は矢印Ｊ方向に夫々直進往復動する。ナット２２を用いることによって、ノッチ部材２３の位置を連続的に変化させ、かつその位置を微調整することが可能となる。
【００４１】
この結果支持リンク２０のピン２０ｂもノッチ部材２３と共に移動するので、支持リンク２０は矢印Ｋ方向又は矢印Ｌ方向に揺動し、アーム１９を矢印Ｅ方向又は矢印Ｆ方向に揺動させる。これによって釣竿１８の仰角が連続的に微調整されて希望の角度となる。ノッチ部材２３は、各ノッチ２３ａ間の距離以上のストロークで直進往復動可能に構成されているので、各ノッチ２３ａ間に存在する仰角をナット２２の調整により釣竿１８に与えることができる。
【００４２】
アーム１９の仰角のわずかな変化は、図８に示すように、釣竿１８の穂先１８ｂでは長さに比例して増幅されるが、ナット２２により微調整できるようにしたことで、穂先１８ｂの高さを、例えばｃｍ単位で変化させることが可能である。
【００４３】
釣竿１８の仰角は、図８及び図９に示すように、釣り場５０の状況やターゲットとなる魚の種類等によってさまざまに設定することが可能であり、後部脚５に手荷物５１等を載せておくことで、魚の引きがあっても、釣竿支持装置１が転倒することはない。
【００４４】
ある程度の仰角を持たせる場合は問題ないが、ヘラブナ釣りのように、釣竿（図示せず）を水平又は穂先が下がる程度にしておく場合には、魚の引きがあると釣竿が水中に引き込まれるおそれがある。このようなときは、図１１に示すように、ゴム帯３９を枠部材３５の突起３５ａに掛けて釣竿の後端部を上方に持ち上げるようにしながら締め付けておくことで、釣竿が引き込まれることを防止することができる。
【００４５】
竿受け具３１の湾曲部材３４は、図３に示すように、他端３４ａ側、即ち横方向が開いているので、魚が掛かったときに竿受け具３１から横方向に釣竿１８を取り出すことも可能である。
【００４６】
釣竿支持装置１を運搬、携行する場合には、図１２に示すように、アーム１９及び後部脚５を縮め、補助脚３を矢印Ｍ方向に収納する。傾斜台６は蝶ボルト２５を弛めることで取付け座１３から取り外すことができ、前後を逆向きにして再び取付け座１３に取り付けることができる。アーム１９を矢印Ｆ方向に倒せば、釣竿支持装置１は非常にコンパクトになり、携行が容易となる。
【００４７】
次に本発明の第２実施例に係る釣竿支持装置４２の作用について説明する。釣竿支持装置４２は、図１３及び図１４に示すように、第１実施例に係る釣竿支持装置１のうち竿受け具３１に釣竿５５の抜けを防止する固定機構４３を取り付けたものであるので、固定機構４３の作用についてのみ説明する。
【００４８】
固定機構４３は、第１実施例におけるゴム帯３９と同様の役割を担うものであり、釣竿５５を水平又は穂先が下がる程度にしておく場合に、竿受け具３１内において、押え具４５により釣竿５５を挾むようにして、係止部材４８を枠部材３５の係合突起３５ｂに掛けることにより、釣竿５５を固定することができる。釣竿５５の太さの違いは、引張りばね４６により吸収することができる。
【００４９】
魚が掛かって釣竿５５を手に取りたい場合には、指先（図示せず）で係合部材４８を係合突起３５ｂから外すだけで、押え具４５は、係合部材４８、引張りばね４６及び押え具４５の自重によりすぐに開き、釣竿５５の固定が解除されるので、直ちに手に取ることができる。
【００５０】
【発明の効果】
本発明は、上記のように左右方向の倒れを防止する前部脚と、該前部脚が前側に取り付けられたメインフレームと、該メインフレームに対して後方に伸縮可能に構成された後部脚と、メインフレームに着脱自在に取り付けられ釣竿を載置可能に構成されると共に該釣竿の仰角を段階的に粗調整可能かつ連続的に微調整可能に構成された傾斜台とを備えたので、川、湖、磯、岸壁等の種々の釣り場で安定した状態でしかも容易に設置して釣竿を支持することができる効果があると共に、釣竿の仰角を段階的に選択して粗調整することができ、更に夫々の段階的な仰角の中間となる微妙な仰角の連続的な微調整を可能にすることができる効果がある。
【００５１】
また上記構成に加えて、必要時に該前部脚よりも左右に長く突出させることが可能に構成され両側の端部に上下方向の接地高さを夫々調節可能にする接地機構が取り付けられた補助脚を備えたので、沈み込み易い砂浜のような釣り場でも、沈むことなく設置できるようにすると共に、凹凸のある釣り場でも接地機構の調整により水平に設置できるという効果がある。
【００５２】
更には、上記構成において、メインフレームに対して着脱自在に取り付けられる基台に蝶番を介して釣竿を載置するアームを取り付け、該アームに対して揺動自在に取り付けた支持リンクでアームの仰角を変化させるように構成し、該支持リンクの下端の前後方向の位置を段階的に粗調整可能かつ連続的に微調整可能に構成したので、ターゲットとなる魚の種類や釣り場の環境に応じて釣竿の仰角を任意にかつ容易に調整できる効果があり、使い勝手を飛躍的に高め、また魚が非常によく釣れるという効果が得られる。
【００５３】
また上記構成に加えて、メインフレームに対して後方に伸縮可能に構成された後部脚を備えたので、手荷物等を重りにしてこれを該後部脚に載せるだけで、掛かった魚の引きによる倒れを防止できるという効果がある。
【００５４】
更には、上記構成において、メインフレームに対して着脱自在に取り付けられる基台に蝶番を介して長さ調整及び釣竿の載置が可能なアームを取り付け、該アームに対して揺動自在に取り付けた支持リンクの角度によりアームの仰角を変化させるように構成し、メインフレームと平行にねじ軸を固定し該ねじ軸にナットを螺合させておき、支持リンクが係合する複数のノッチが所定の間隔で形成されたノッチ部材をねじ軸に沿って直進往復動可能に取り付け、ナットの螺合位置によりノッチ部材の位置が定まるようにすることでアームの仰角を段階的に粗調整可能かつ連続的に微調整可能に構成した傾斜台を備えたので、釣竿の仰角をノッチの掛替えにより段階的に粗調整できると共に、ノッチとその次のノッチとの間に所望の仰角が存在する場合に、ナットを回転させるだけでこれらの間の仰角を連続的に微調整できる効果があり、またこの結果釣竿の仰角の調整を極めて迅速にかつ正確に行うことができるという効果がある。
【００５５】
また上記傾斜台に釣竿の抜けを防止する固定機構を取り付けたので、ヘラブナ釣りのように釣竿を水平に近い状態にしておく場合や、釣竿の穂先を下向きにしておく場合に、掛かった魚の引きによって釣竿が水中に引き込まることを防止することができる効果が得られる。
【図面の簡単な説明】
【図１】図１から図１２は本発明の第１実施例に係り、図１は釣竿支持装置の斜視図である。
【図２】釣竿支持装置の側面図である。
【図３】傾斜台を分解して示す釣竿支持装置の斜視図である。
【図４】釣竿支持装置の背面図である。
【図５】補助脚の使用状態と収納状態を示す釣竿支持装置の平面図である。
【図６】後部脚の伸縮、アームの伸縮及び仰角の調整が可能であることを示す釣竿支持装置の側面図である。
【図７】釣竿を載置し、リンク部材を任意のノッチに掛けて釣竿の仰角の粗調整が完了し、ナットを回転させることで釣竿の仰角を連続的に微調整している状態を示す側面図である。
【図８】釣竿支持装置に釣竿を載置した状態を示す側面図である。
【図９】釣竿支持装置を手荷物を重りとして後部脚に載せることで釣り場に設置し、釣竿を水平に近い状態に載置した状態を示す側面図である。
【図１０】図９における傾斜台及び釣竿の部分拡大側面図である。
【図１１】ゴム帯により釣竿の後端部を固定した状態を示す傾斜台の背面図である。
【図１２】補助脚を折り畳み、アームを戻して収納状態にする過程を示す釣竿支持装置の斜視図である。
【図１３】図１３及び図１４は、本発明の第２実施例に係り、図１３は竿受け具の側面図である。
【図１４】固定機構により釣竿の後端部を固定した状態を示す竿受け具の背面図である。
【符号の説明】
１    釣竿支持装置
２    前部脚
３    補助脚
４    メインフレーム
５    後部脚
６    傾斜台
８    接地機構
１５    基台
１６    蝶番
１８    釣竿
１９    アーム
２１    ねじ軸
２２    ナット
２３    ノッチ部材
２３ａ  ノッチ
４２    釣竿支持装置
４３    固定機構
【図１】
0003803824.tif 000002
【図２】
0003803824.tif 000003
【図３】
0003803824.tif 000004
【図４】
0003803824.tif 000005
【図５】
0003803824.tif 000006
【図６】
0003803824.tif 000007
【図７】
0003803824.tif 000008
【図８】
0003803824.tif 000009
【図９】
0003803824.tif 000010
【図１０】
0003803824.tif 000011
【図１１】
0003803824.tif 000012
【図１２】
0003803824.tif 000013
【図１３】
0003803824.tif 000014
【図１４】
0003803824.tif 000015